(57)【要約】【課題】利便性に優れた車両のスマートキーレスエントリシステムの提供。【解決手段】車両のドアに設けられたスイッチ手段１、１ａと、ＩＤ信号を送信する携帯ユニット２と、受信したＩＤ信号の認証が成立した場合にドアのロック機構４、５を作動させる車載ユニット３を備え、携帯ユニット２による解錠操作が行われた場合に、又は、運転席ドアのスイッチ手段１が操作された場合に、運転席ドアのロック機構４を選択的に解錠させ、更に、運転席ドアのスイッチ手段１が操作された場合に、車両の全ドアのロック機構５を解錠させ、スイッチ手段は、タッチセンサスイッチ１１、１１ａと機械式スイッチ１２、１２ａとからなり、運転席ドアのロック機構４が選択的に解錠されている場合に、運転席ドア以外のドアのタッチセンサスイッチ１１ａが操作されると、全ドアのロック機構５が解錠される。【選択図】図１
2009228271.tif 000002
【特許請求の範囲】
【請求項１】
車両のドアに設けられたスイッチ手段と、
ＩＤ信号を送信する携帯ユニットと、
受信したＩＤ信号の認証が成立した場合に、ドアのロック機構を作動させる車載ユニットと、
を備え、
前記車載ユニットは、前記携帯ユニットによる解錠操作が行われた場合に、又は、運転席ドアのスイッチ手段が操作された場合に、運転席ドアのロック機構を選択的に解錠させ、更に、運転席ドアのロック機構の解錠から第１の所定時間内に、運転席ドアのスイッチ手段が操作された場合に、車両の全ドアのロック機構を解錠させる車両のスマートキーレスエントリシステムであって、
前記スイッチ手段は、ドアのドアハンドル内側のタッチセンサスイッチとドアハンドル近傍の機械式スイッチとから構成され、
前記車載ユニットは、運転席ドアのロック機構が選択的に解錠されている場合に、運転席ドア以外のドアのタッチセンサスイッチが操作されると、全ドアのロック機構を解錠させる、
ことを特徴とする車両のスマートキーレスエントリシステム。
【請求項２】
前記車載ユニットは、運転席ドアのロック機構が選択的に解錠されてから、第２の所定時間内に、運転席ドア以外のドアのタッチセンサスイッチが操作された場合に、全ドアのロック機構を解錠させる、
ことを特徴とする車両のスマートキーレスエントリシステム。
【請求項３】
前記車載ユニットは、全ドアのロック機構が解錠されてから、第３の所定時間内に、いずれのドアも開かない場合に、全ドアのロック機構を施錠させる、
ことを特徴とする車両のスマートキーレスエントリシステム。
【発明の詳細な説明】
【技術分野】
【０００１】
本発明は、車両のスマートキーレスエントリシステムに係り、より詳細には、運転席ドア及び全ドアの解錠をいわゆる２ステージで行う車両のスマートキーレスエントリシステムに関する。
【背景技術】
【０００２】
近年、車両のスマートエントリシステムが実用化されている。スマートエントリシステムでは、携帯機が従来の機械式キーの役割を果たす。例えば、カード状の携帯機をポケットやバッグに入れて携帯していれば、キーを取り出して操作しなくても、ドア解錠やエンジン始動等の操作を行うことができる。
【０００３】
下記の特許文献１には、ドアに施錠用のタッチセンサと解錠用のタッチセンサとを設けた場合に、どちらのタッチセンサが有効であるか表示する技術が開示されている。これにより、使用者の混乱を防止している。
【０００４】
【特許文献１】特開２００６−９３１２号公報
【発明の開示】
【発明が解決しようとする課題】
【０００５】
いわゆる２ステージのスマートキーレスエントリシステムでは、携帯ユニットのトランスミッタや運転席ドアのスイッチの１回目の操作で運転席ドアのみが解錠され、２回目の操作で全ドアが解錠されるようになっている。
【０００６】
ところが、運転席ドアのみが解錠された状態では、助手席ドア等の運転席ドア以外のドアのスイッチを操作しても、運転席ドア以外のドアは解錠されない。このため、例えば、車両から離れた位置から携帯ユニットのトランスミッタで運転席ドアだけを解錠した後、助手席に荷物を置こうとして、助手席ドアのタッチセンサに触れても、助手席ドアは解錠されない。
【０００７】
そこで、本発明は、利便性に優れた車両のスマートキーレスエントリシステムを提供することを目的としている。
【課題を解決するための手段】
【０００８】
上記の目的を達成するため、本発明のスマートキーレスエントリシステムは、車両のドアに設けられたスイッチ手段と、ＩＤ信号を送信する携帯ユニットと、受信したＩＤ信号の認証が成立した場合に、ドアのロック機構を作動させる車載ユニットとを備え、前記車載ユニットは、前記携帯ユニットによる解錠操作が行われた場合に、又は、運転席ドアのスイッチ手段が操作された場合に、運転席ドアのロック機構を選択的に解錠させ、更に、運転席ドアのロック機構の解錠から第１の所定時間内に、運転席ドアのスイッチ手段が操作された場合に、車両の全ドアのロック機構を解錠させる車両のスマートキーレスエントリシステムであって、前記スイッチ手段は、ドアのドアハンドル内側のタッチセンサスイッチとドアハンドル近傍の機械式スイッチとから構成され、前記車載ユニットは、運転席ドアのロック機構が選択的に解錠されている場合に、運転席ドア以外のドアのタッチセンサスイッチが操作されると、全ドアのロック機構を解錠させる、ことを特徴としている。
【０００９】
このように、本発明のスマートキーレスエントリシステムによれば、運転席ドアが選択的に解錠されているときに、運転席ドア以外のドアのドアハンドルに手を掛けるだけで、全席のドアが解錠される。これにより、利便性に優れた車両のスマートキーレスエントリシステムが提供される。
【００１０】
また、本発明において好ましくは、前記車載ユニットは、運転席ドアのロック機構が選択的に解錠されてから、第２の所定時間内に、運転席ドア以外のドアのタッチセンサスイッチが操作された場合に、全ドアのロック機構を解錠させる。
このように、第２の所定時間内のみ、運転席ドア以外のドアのタッチセンサスイッチが作動すれば、意図しないときに全ドアが解錠されることを防止することができる。
【００１１】
また、本発明において好ましくは、前記車載ユニットは、全ドアのロック機構が解錠されてから、第３の所定時間内に、いずれのドアも開かない場合に、全ドアのロック機構を施錠させる。
このように、第３の所定時間経過後に全ドアが施錠されれば、車両のドアの施錠のし忘れを防ぐことができる。
【発明を実施するための最良の形態】
【００１２】
以下、添付の図面を参照して、本発明の車両のスマートキーレスエントリシステムの実施形態を説明する。まず、図１のブロック図を参照して、実施形態のスマートキーレスエントリシステムの構成を説明する。
なお、本実施形態では、車両の運転席ドア以外のドアを助手席ドアで代表させて説明する。
【００１３】
本実施形態のスマートキーレスエントリシステムは、車両のドアに設けられたスイッチ手段と、車両の運転席ドアに設けられたスイッチ手段１と、助手席ドアに設けられたスイッチ手段１ａと、ＩＤ信号を送信する携帯ユニット２と、受信したＩＤ信号の認証が成立した場合に、ドアのロック機構４、５を作動させる車載ユニット３と、を備えている。
【００１４】
そして、車載ユニット３は、携帯ユニット２のトランスミッタによる解錠（アンロック）操作が行われた場合に、又は、運転席ドアのスイッチ手段１が操作された場合に、運転席ドアのロック機構４を選択的に解錠させる。更に、運転席ドアのロック機構４の解錠から第１の所定時間内に、例えば、３秒以内に、運転席ドアのスイッチ手段１が操作された場合に、車両の全ドアのロック機構４、５を解錠させる。
【００１５】
なお、車載ユニット３の機能は、例えば、車両に搭載されたＥＣＵ（electric control unit：電子制御装置）等のコンピュータにおいて、所定のプログラムを実行することにより、或いは、ＩＣチップ等により実現される。また、経過時間は、車載ユニットに内蔵された不図示のタイマーによって計測される。
【００１６】
さらに、運転席ドア及び助手席ドアのスイッチ手段１１、１１ａは、それぞれ、ドアのドアハンドル内側のタッチセンサスイッチ１１、１１ａとドアハンドル近傍の機械式スイッチ１２、１２ａとから構成されている。
【００１７】
ここで、図２に、運転席ドア４０のスイッチ手段１を示す。スイッチ手段１は、図２に示すように、運転席ドア４０のドアハンドル４１の内側に設けられたタッチセンサスイッチ１１と、ドアハンドル４１上又はドアハンドル４１近傍に設けられた機械式スイッチ１２とから構成されている。
なお、助手席ドアのスイッチ手段１ａも、運転席ドアのスイッチ手段１と同様の構成である。
【００１８】
タッチセンサスイッチ１１は、ドアハンドル４１にセンサ電極を備え、運転席ドア４０とセンサ電極との間の静電容量の変化を検知する静電容量式スイッチである。携帯ユニット２の携帯者が運転席ドア４０を開けようとしてドアハンドル４１に手を掛けると、運転席ドア４０とセンサ電極との間の静電容量が変化する。この静電容量の変化を電圧の変化として検出することにより、スイッチとして機能する。
【００１９】
なお、タッチセンサスイッチ１１を操作させるためには、手がドアハンドル４１に必ずしも触れる必要はない。例えば、センサ電極と運転席ドア４０との間に手が挿入されるだけでも、静電容量が変化するため、タッチセンサスイッチを操作することができる。
【００２０】
また、センサ電極は、ドアハンドル４１のドアに面した面に露出させてもよいし、ドアハンドル４１に内蔵してもよい。また、車両のドアは、一般に鋼板で作られているため、ドア自体がセンサ電極の対向電極として機能する。ただし、車両のドアを、例えば、強化樹脂等の非導電性の材料で形成する場合には、ドアにも電極を設けるとよい。
【００２１】
機械式スイッチ１２は、例えば、従来からスマートキーレスエントリシステムにおいて使用されている押しボタン式のリクエストスイッチ等の任意好適なものを採用することができる。ただし、機械式スイッチ１２は、ドアハンドル４１上又はドアハンドル４１近傍、例えば、ドアハンドル４１に手を掛けた状態で、親指が届く位置に設けることが望ましい。かかる位置に機械式スイッ１２を設ければ、ドアを開ける動作を妨げることなく、機械式スイッチ１２を容易に操作することができる。
【００２２】
次に、図３のフローチャートを参照して、実施形態の車両のスマートキーレスエントリシステムの動作例を説明する。
先ず、全ドアのロック機構４、５が施錠（ロック）状態の場合（Ｓ１で「Ｙｅｓ」）において、携帯ユニット２のトランスミッタによる解錠（アンロック）操作が行われた場合に、又は、運転席ドアのスイッチ手段１が操作された場合に（Ｓ２で「Ｙｅｓ」）、ＩＤ信号の認証が成立すれば（Ｓ３で「Ｙｅｓ」）、運転席ドアのロック機構４が選択的に解錠（アンロック）される（Ｓ４）。
【００２３】
ここで、トランスミッタの操作がされた場合には、携帯ユニット２から送信されたＩＤ信号の認証が行われる。また、運転席ドアのリクエストスイッチ１１が押下されて操作された場合には、車載ユニット３からリクエスト信号を送信し、携帯ユニット２からのＩＤ信号の認証が行われる。
【００２４】
次いで、運転席ドアのロック機構４のみが解錠（アンロック）された状態で、更に、運転席ドアの機械式スイッチ（リクエストＳＷ）１２が操作（ＯＮ）された場合（Ｓ７で「Ｙｅｓ」）に、車両の全ドアのロック機構を解錠させる（Ｓ８）。ただし、更なるリクエストＳＷ１１の操作の前に運転席ドアが開けられた場合（Ｓ５で「Ｙｅｓ」）には、上記処理は無効となる。また、更なるリクエストＳＷ１１の操作が、運転席ドアのロック機構４の解錠から第１の所定時間内に行われない場合（Ｓ６で「Ｙｅｓ」）にも、上記処理は無効となる。なお、ドアの開閉は、ドア開閉センサ６で検出される。
【００２５】
また、運転席ドアのロック機構４のみが解錠されている場合（Ｓ４）に、運転席ドア以外のドア、ここでは助手席ドアのタッチセンサスイッチ１１ａが操作されると（Ｓ９で「Ｙｅｓ」）、全ドアのロック機構が解錠（アンロック）される（Ｓ１０）。ここでは、助手席ドアのロック機構５が解錠される。ただし、助手席ドアのタッチセンサスイッチ１１ａが、運転席ドアのロック機構が選択的に解錠されてから、第２の所定時間内に、例えば、９０秒以内に操作されない場合（Ｓ８で「Ｙｅｓ」）には、上記処理は無効となる。
なお、第２の所定時間は、第１の所定時間よりも長いことが望ましい。
【００２６】
さらに、全ドアのロック機構が解錠されてから、第３の所定時間内に、例えば、３０秒以内（Ｓ１３で「Ｎｏ」）に、いずれのドアも開かない場合（Ｓ１１で「Ｙｅｓ」）に、全ドアのロック機構が施錠される（Ｓ１４）。このようにして、車両に誰も乗らない場合に、車両の全てのドアが施錠される。
【００２７】
ただし、上記第３の所定時間は、図３のフローチャートのステップＳ９からの分岐「Ａ」を経由する場合は、運転席ドアが解錠（Ｓ４）されてからの経過時間とする。また、第３の所定時間は、第１の所定時間よりも長く、かつ第２の所定時間よりも短いことが望ましい。
【００２８】
なお、車両の何れかのドアのロック機構が解錠されている場合において（Ｓ１で「Ｎｏ」）、運転席ドアの機械式スイッチ（リクエストＳＷ）１２が操作されたときには（Ｓ１５で「Ｙｅｓ」）、車両の全てのドアのロック機構が施錠される（Ｓ１６）。これにより、全てのドアの施錠が容易かつ確実に行われる。
【００２９】
上述した各実施形態においては、本発明を特定の条件で構成した例について説明したが、本発明は種々の変更及び組み合わせを行うことができ、これに限定されるものではない。例えば、第１〜第３の所定時間は、上記数値例に限定されず、任意好適な値とすることができる。
【図面の簡単な説明】
【００３０】
【図１】本発明の実施形態のスマートエントリシステムの構成を示すブロックである。
【図２】運転席ドアのドアハンドル付近を示す図である。
【図３】本発明の実施形態のスマートエントリシステムの動作を示すフローチャートである。
【符号の説明】
【００３１】
１、１ａ  スイッチ手段
２  携帯ユニット
３  車載ユニット
４  運転席ドアのロック機構
５  助手席ドアのロック機構
１１、１１ａ  タッチセンサスイッチ
１２、１２ａ  機械式スイッチ
４０  運転席ドア
４１  ドアハンドル
【図１】
2009228271.tif 000003
【図２】
2009228271.tif 000004
【図３】
2009228271.tif 000005